(57)【要約】【課題】尿の臭いを抑制するとともに、尿の色が目立ち難い吸収性物品を提供すること。【解決手段】本発明の吸収性物品の１例であるナプキン１は、表面シート２、裏面シート３及びそれらのシート２，３の間に配された縦長の吸収体４を具備する。吸収体４は、吸水性ポリマー４１０を含有する吸収性コア４１と、吸収性コア４１の肌対向面側に配された内側シート４２と、内側シート４２の肌対向面側に配された外側シート４３とを有する。ナプキン１は、前方領域Ｂ、排泄部領域Ａ、後方領域Ｃに区分されている。内側シート４２は、活性炭粒子を担持して灰色に着色されている。外側シート４３は、灰色に着色されている。外側シート４３は、そのＬ*ａ*ｂ*表色系におけるＬ*値が、内側シート４２のＬ*値よりも大きい。【選択図】図１
2014068681.tif 000002
【特許請求の範囲】
【請求項１】
液透過性の表面シート、液難透過性の裏面シート、及びそれらのシートの間に配された、縦長の吸収体を具備し、
前記吸収体は、吸水性ポリマーを含有する吸収性コアと、該吸収性コアの肌対向面側に配された内側シートと、該内側シートの肌対向面側に配された外側シートとを有し、
前方領域、排泄部領域、後方領域に区分された吸収性物品であって、
前記内側シートは、活性炭粒子を担持して灰色に着色されており、
前記外側シートは、灰色に着色されており、
前記外側シートは、そのＬ*ａ*ｂ*表色系におけるＬ*値が、前記内側シートのＬ*値よりも大きい吸収性物品。
【請求項２】
前記外側シートは、その液保持量が、前記内側シートの液保持量よりも小さい請求項１に記載の吸収性物品。
【請求項３】
前記内側シートは、前記吸収性コアの肌対向面における排泄部領域に配され、
前記外側シートは、前記内側シートが配された前記吸収性コアの全体を包んでおり、
排泄前の状態において前記吸収性物品を前記表面シート側から平面視すると、前記吸収性物品の前方領域及び後方領域それぞれのＬ*ａ*ｂ*表色系におけるＬ*値が、前記吸収性物品の排泄部領域のＬ*値よりも大きい請求項１又は２に記載の吸収性物品。
【請求項４】
前記外側シートは、活性炭粒子を担持して灰色に着色されている請求項１〜３の何れか１項に記載の吸収性物品。
【請求項５】
前記外側シートは、その液保持量が０．０４ｇ／ｍ2以上１．００ｇ／ｍ2以下であり、そのＬ*ａ*ｂ*表色系におけるＬ*値が７０以上８０以下である請求項１〜４の何れか１項に記載の吸収性物品。
【請求項６】
前記外側シート及び前記内側シートそれぞれを構成する基材シートは、パルプを含有している請求項１〜５の何れか１項に記載の吸収性物品。
【請求項７】
前記外側シートは、単層で形成されている請求項１〜６の何れか１項に記載の吸収性物品。
【請求項８】
前記内側シートは、２層のパルプ層間に、活性炭粒子を含有する活性炭層を介在させた３層構造の積層シートである請求項１〜７の何れか１項に記載の吸収性物品。
【発明の詳細な説明】
【技術分野】
【０００１】
本発明は、軽失禁用の吸水ナプキン、パンティライナー（おりものシート）、生理用ナプキン、使い捨ておむつ等の吸収性物品に関する。
【背景技術】
【０００２】
吸水性ポリマーを含有する吸収性コアを、消臭効果の高い活性炭入りの消臭シートで包んで形成された吸収体を用いることによって、例えば尿の臭いを抑制する技術が知られている。活性炭入りの消臭シートによって吸収性コアが包まれた吸収性物品として、本出願人は、先に、吸収性コアを、多孔性消臭剤を含有する内層シートで包み、更に多孔性消臭剤を含有する外層シートで包んでなる吸収体を備えた吸収性物品を提案した（特許文献１参照）。
【０００３】
これとは別の技術として、特許文献２には、吸収性コア上の中央領域に、２つの色調を有する着色部分が設けられた生理用ナプキンが記載されている。
【先行技術文献】
【特許文献】
【０００４】
【特許文献１】特開２００７−０９７９５３号公報
【特許文献２】特表２００５−５１２６８２号公報
【発明の概要】
【発明が解決しようとする課題】
【０００５】
特許文献１に記載の吸収性物品は、内層シート及び外層シートそれぞれに消臭剤が担持されているので、尿の臭いを抑制する効果が高い。しかし、内層シートに担持された消臭剤は、色目の白いシリカゲル等であり、外層シートに担持された消臭剤も、色目の白い多孔性ポリマー等であるので、尿の色を目立たなくすることが難しい。仮に、尿の色が認識され易いと、実際に発生している尿の臭い以上に、尿が臭っていると感じさせてしまう場合がある。このように、尿の臭いを抑制する観点から、さらに改良の余地があった。
【０００６】
特許文献２には、尿の臭いを抑制する観点から、消臭剤を担持することについて、何ら記載されておらず、更に、着色部分をどのような素材を用いて形成するかについて、具体的な記載がない。また、特許文献２に記載の生理用ナプキンは、吸収性コア上の中央領域にのみ着色部分が設けられているため、中央領域から拡散した尿の色を目立たなくすることが難しい。
【０００７】
従って、本発明の課題は、尿の臭いを抑制するとともに、尿の色を目立ち難くする吸収性物品に関する。
【課題を解決するための手段】
【０００８】
本発明は、液透過性の表面シート、液難透過性の裏面シート、及びそれらのシートの間に配された、吸水性ポリマーを含有する吸収性コアと、該吸収性コアの肌対向面側に配された内側シートと、該内側シートの肌対向面側に配された外側シートとを有する縦長の吸収体を具備し、前方領域、排泄部領域、後方領域に区分された吸収性物品であって、前記内側シートは、活性炭粒子を担持して灰色に着色されており、前記外側シートは、灰色に着色されており、前記外側シートは、そのＬ*ａ*ｂ*表色系におけるＬ*値が、前記内側シートのＬ*値よりも大きい吸収性物品を提供することにより、前記課題を解決したものである。
【発明の効果】
【０００９】
本発明の吸収性物品によれば、尿の臭いを抑制するとともに、尿の色を目立ち難くする。
【図面の簡単な説明】
【００１０】
【図１】図１は、本発明の実施形態である吸水ナプキンを表面シート側から見た平面図である。
【図２】図２は、図１のＩ−Ｉ線断面図である。
【図３】図３は、図１のＩＩ−ＩＩ線断面図である。
【発明を実施するための形態】
【００１１】
以下本発明をその好ましい実施形態に基づき図面を参照しながら説明する。
本発明の吸収性物品の実施形態である軽失禁用の吸水ナプキン１Ａ（以下、「ナプキン１ともいう）は、図２〜図３に示すように、液透過性の表面シート２、液難透過性の裏面シート３、及びそれらのシート２，３の間に配された縦長の吸収体４を具備している。吸収体４は、吸水性ポリマー４１０を含有する吸収性コア４１と、吸収性コア４１の肌対向面側に配された内側シート４２と、内側シート４２の肌対向面側に配された外側シート４３とを有する。具体的には、ナプキン１は、図２〜図３に示すように、肌対向面側に配された表面シート２、非肌対向面側に配された裏面シート３、及び該表面シート２と該裏面シート３との間に配された吸収体４を具備している。そして、ナプキン１の吸収体４は、吸収性コア４１の肌対向面側に内側シート４２が配された吸収性コア４１の全体を、外側シート４３で包んで形成されている。
尚、本明細書において、「肌対向面」とは、ナプキン１の構成部材の表裏面のうち、着用時に着用者の肌側に配される面であり、また、「非肌対向面」とは、着用時に着用者の肌側とは反対側に配される面である。
【００１２】
ナプキン１は、図１に示すように、着用者の前後方向に対応する縦方向と、該縦方向に直交する横方向とを備え、縦方向に長い形状を有している。ここで、図中のＹ方向とは、ナプキン１の縦方向と同方向であり、ナプキン１の縦方向に延びる中心線ＣＬに平行な方向である。また、図中のＸ方向とは、ナプキン１の横方向と同方向であり、中心線ＣＬに垂直な方向である。また、図中のＺ方向とは、ナプキン１の厚み方向である。
【００１３】
ナプキン１は、前方領域Ｂ、排泄部領域Ａ、後方領域Ｃに区分されている。具体的には、ナプキン１は、図１に示すように、着用者の液排泄部（膣口、尿道口）に対向配置される領域である排泄部領域Ａ、ナプキン１の着用時に排泄部領域Ａより着用者の腹側に配される前方領域Ｂ、及びナプキン１の着用時に排泄部領域Ａよりも着用者の背中側に配される後方領域Ｃを有している。ここで、「排泄部領域Ａ」とは、着用者の排泄部に当接する領域をいい、ナプキン１のように、所謂ウイング部を有していない場合には、軽失禁用の吸水ナプキン等の吸収性物品が個装形態に折り畳まれた際に生じるＸ方向に延びる２つの折り線で囲まれた領域を意味する。また、吸収性物品の製品長が長く３つの折線が生じる場合には、Ｙ方向の前端から数えて第１折り線と第２折り線とに囲まれた領域、又はＹ方向の前端から数えて第１折り線と第３折り線とに囲まれた領域を意味する。尚、吸収性物品が所謂ウイング部を有している場合には、「排泄部領域Ａ」とは、ウイング部の位置する領域を意味する。ここで言うウイング部は、着用者のショーツの股下部で折り返して固定して使用される部位を言う。該ウイング部の非肌対向面側にはショーツの固定する為の周知のズレ止め材（不図示）が塗布されている。また、ナプキン１には、裏面シート３の非肌対向面に、ナプキン１を、ショーツ等の下着のクロッチ部（不図示）に固定するためのズレ止め材（不図示）が塗布されている。
【００１４】
ナプキン１の具備する表面シート２及び裏面シート３は、何れも、図１に示すように、縦方向（Ｙ方向）に長い縦長の形状を有している。表面シート２は、ナプキン１においては、図２，図３に示すように、縦方向（Ｙ方向）に長い吸収体４の肌対向面の全面を被覆し、吸収体４の外周縁から延出している。そして、表面シート２は、縦方向（Ｙ方向）においては、図３に示すように、吸収体４の縦方向（Ｙ方向）の前後端部から延出する延出部分を有し、横方向（Ｘ方向）においては、図２に示すように、吸収体４の縦方向（Ｙ方向）に沿う両側縁部に沿って、吸収体４の非肌対向面側に折り返されている。
【００１５】
裏面シート３は、ナプキン１においては、図２，図３に示すように、排泄部領域Ａ、前方領域Ｂ及び後方領域Ｃそれぞれにおいて、ナプキン１の本体の輪郭と一致する輪郭を有している。裏面シート３は、縦方向（Ｙ方向）に長い吸収体４の非肌対向面の全面を被覆している。裏面シート３は、縦方向（Ｙ方向）においては、図３に示すように、吸収体４の縦方向（Ｙ方向）の前後端部から延出する延出部分を有している。そして、裏面シート３の縦方向（Ｙ方向）の延出部分と、表面シート２の縦方向（Ｙ方向）の延出部分とが、熱エンボス加工、超音波シール加工又はホットメルト等の接着剤等によって接合されて、図１，図３に示すように、前方領域Ｂ及び後方領域Ｃそれぞれの外周縁部にシール部５を形成している。シール部５は、ナプキン１においては、図１に示すように、縦方向（Ｙ方向）外方に凸の円弧状に形成されている。裏面シート３は、横方向（Ｘ方向）においては、図２に示すように、吸収体４の非肌対向面にホットメルト等の接着剤等によって固定されており、横方向（Ｘ方向）の外方両側部（吸収体４の縦方向（Ｙ方向）に沿う両側部）においては、折り返された表面シート２にホットメルト等の接着剤等によって接合されている。
【００１６】
吸収体４は、ナプキン１においては、図２，図３に示すように、内側シート４２が配された吸収性コア４１の全体を、外側シート４３で包んで形成されている。吸収性コア４１は、パルプ繊維等の繊維の集合体（不織布であっても良い）に吸水性ポリマー４１０の粒子を保持させて形成されている。吸収性コア４１は、図１に示すように、前方領域Ｂから後方領域Ｃに亘って、縦方向（Ｙ方向）に長く延在しており、ナプキン１においては、前方領域Ｂ及び後方領域Ｃそれぞれの縦方向（Ｙ方向）の端部が、円弧状のシール部５の形状に応じて、縦方向（Ｙ方向）外方に凸の円弧状に形成されている。
【００１７】
内側シート４２は、活性炭粒子を担持して灰色に着色されており、ナプキン１においては、図１に示すように、吸収性コア４１の肌対向面における排泄部領域Ａに配されている。具体的には、ナプキン１の内側シート４２は、図１に示すように、矩形状のシートであり、吸収性コア４１の肌対向面上に直接配され、吸収性コア４１の排泄部領域Ａにおける肌対向面の略全面を覆っている。内側シート４２は、ナプキン１においては、図２，図３に示すように、同一形状で同じ大きさのパルプを含有する２枚のパルプシート４２１，４２２の間に、活性炭粒子を含有する活性炭層４２３を介在させた３層構造の積層シートである。このように、内側シート４２は、活性炭層４２３を備えて、灰色に着色されている。ここで言う灰色は無彩色であることが好ましい。また、内側シート４２を構成する基材シート（２枚のパルプシート４２１，４２２）は、パルプを含有しており、活性炭粒子は担持されていない。
【００１８】
外側シート４３は、灰色に着色されており、ナプキン１においては、図２，図３に示すように、パルプを含有する単層シートであり、内側シート４２が配された吸収性コア４１の全体を包む大きさを有している。ここで言う灰色は無彩色であることが好ましい。ナプキン１の外側シート４３は、縦方向（Ｙ方向）においては、図３に示すように、その縦方向（Ｙ方向）の長さが、内側シート４２よりも長く、内側シート４２の縦方向（Ｙ方向）の両端部それぞれから前方領域Ｂ及び後方領域Ｃに延出している。そして、ナプキン１の外側シート４３は、縦方向（Ｙ方向）においては、吸収性コア４１の縦方向（Ｙ方向）の長さと一致しており、吸収性コア４１の前方領域Ｂ及び後方領域Ｃそれぞれの縦方向（Ｙ方向）の端部の円弧状の形状に一致している。また、ナプキン１の外側シート４３は、横方向（Ｘ方向）においては、図２に示すように、その横方向（Ｘ方向）の長さが、内側シート４２及び吸収性コア４１それぞれの横方向の長さよりも長いものである。外側シート４３は、ナプキン１においては、図２に示すように、内側シート４２が配された吸収性コア４１の肌対向面の全域を被覆し、該吸収性コア４１の縦方向（Ｙ方向）に沿う左右両側部から側方へ延出する部分それぞれが吸収性コア４１の非肌対向面側（内側シート４２が配されていない面側）に折られて、その折られた先端部分それぞれが、重なり合っている。このようにして、内側シート４２が配された吸収性コア４１の全体が、外側シート４３によって包まれている。ナプキン１の外側シート４３は、内側シート４２が配された吸収性コア４１においては、図２，図３に示すように、内側シート４２の肌対向面上に直接配されている。
【００１９】
外側シート４３は、外側シート４３を構成するパルプを含有する基材シートの構成繊維を染色したり、該基材シートに印刷を施したり、有色の多孔性ポリマーとパルプを含有する基材シートに担持させたり、活性炭粒子を担持させたり等して、灰色に着色されている。ナプキン１においては、着色と消臭機能を同時に達成し、且つその消臭機能の高さの観点から、活性炭粒子を担持して灰色に着色されている。
【００２０】
ナプキン１においては、外側シート４３の担持する活性炭粒子は、その粒径が、内側シート４２の担持する活性炭粒子の粒径よりも小さい。具体的には、外側シート４３の担持する活性炭粒子は、その粒径が、シート内で活性炭を保持し、脱落しにくくする観点から、２０μｍ以下であることが好ましく、１５μｍ以下であることが更に好ましい。外側シート４３の活性炭粒子の粒径は、小さければ小さいほど好ましいが、５μｍ程度であれば、十分に満足すべき前記効果が得られる。内側シート４２の担持する活性炭粒子は、その粒径が、より高い消臭性能を発現するために多くの活性炭を担持する観点から、３０μｍ以上であることが好ましく、４０μｍ以上であることが更に好ましい。そして、活性炭の脱落性の観点から、２００μｍ以下であることが好ましく、１００μｍ以下であることが更に好ましい。また、外側シート４３の担持する活性炭粒子の粒径は、内側シート４２の担持する活性炭粒子の粒径に比べて、２０μｍ以上小さいことが好ましく、２５μｍ以上小さいことが更に好ましい。
【００２１】
ナプキン１においては、外側シート４３は、その目付が、内側シート４２の目付よりも小さい。具体的には、外側シート４３は、４０ｇ／ｍ2以上であることが好ましく、５０ｇ／ｍ2以上であることが更に好ましい。そして、７０ｇ／ｍ2以下であることが好ましく、６０ｇ／ｍ2以下であることが更に好ましい。また、内側シート４２は、その目付が１２ｇ／ｍ2以上であることが好ましく、１４ｇ／ｍ2以上であることが更に好ましい。そして、２５ｇ／ｍ2以下であることが好ましく、２０ｇ／ｍ2以下であることが更に好ましい。また、外側シート４３の目付は、内側シート４２の目付に比べて、２５ｇ／ｍ2以上小さいことが好ましく、３５ｇ／ｍ2以上小さいことが更に好ましい。
ここで、外側シート４３、内側シート４２の目付は、測定可能なシートの面積とその重量から測定することができる。その際の測定では、２３±２℃、相対湿度５０±５％で行い、測定の前に試料を同環境で２４時間以上保存した上で測定する。
上述のように形成された外側シート４３の担持する機能粒子は、その粒子目付が、上述のように形成された内側シート４２の担持する機能粒子の粒子目付よりも小さい。具体的には、外側シート４３は、該外側シート４３を構成する基材シートに、粒子目付が０．１ｇ／ｍ2以上となるように機能粒子を散布して形成されていることが好ましく、粒子目付が０．１５ｇ／ｍ2以上となることが更に好ましい。そして、粒子目付が２ｇ／ｍ2以下となることが好ましく、粒子目付が１．５ｇ／ｍ2以下となることが更に好ましい。また、内側シート４２は、該内側シート４２を構成する２枚のパルプシート４２１，４２２の間に、粒子目付が２ｇ／ｍ2以上となるように機能粒子を散布して形成されていることが好ましく、粒子目付が４ｇ／ｍ2以上となることが更に好ましい。そして、粒子目付が８ｇ／ｍ2以下となることが好ましく、粒子目付が６ｇ／ｍ2以下となることが更に好ましい。また、外側シート４３の担持する機能粒子の粒子目付は、内側シート４２の担持する機能粒子の粒子目付に比べて、１．５ｇ／ｍ2以上小さいことが好ましく、３ｇ／ｍ2以上小さいことが更に好ましい。
ここで、機能粒子の粒子目付は、下記の方法で測定することができる。具体的には、先ず測定する外側シート４３或いは内側シート４２の面積を予め測定したうえで、下記の方法で定着率を求め、測定した面積で除することで、坪量を算出することにより測定できる。
尚、粉体の定着率の測定方法において、粉体（消臭粒子）に金属が含まれる場合は、下記の＜粉体（消臭粒子）の定着率の測定方法＞を用い、粉体（消臭粒子）に金属が含まれない場合、具体的には、例えば粉体（消臭粒子）が活性炭である場合は、下記の＜活性炭の定着率の評価方法＞を用いて定着率を求めることができる。
【００２２】
＜粉体（消臭粒子）の定着率の測定方法＞
粉体（消臭粒子）に金属が含まれる場合は、消臭粒子に含まれる金属（Ａｇ、Ｓｉ、Ａｌ、Ｚｎ等）の量をＩＣＰ発光分析装置で測定して消臭粒子の定着率を求める。ＩＣＰ発光分析装置での測定は、粉体含有シートを湿式分解した後、金属の量を測定して消臭粒子の定着率を求めるが、消臭粒子が燃焼しても残量する粒子を消臭抗菌シート添加している場合は灰分の金属の量を蛍光Ｘ線装置で測定して定着率を求めることも可能である。
【００２３】
＜活性炭定着率の評価方法＞
はじめに、１／１０Ｎのヨウ素溶液（和光純薬工業（株）製）に活性炭ＳＡ１０００（フタムラ化学（株）製）を添加して、活性炭濃度が０．１質量％、０．２５質量％、０．５質量％、０．７５質量％、１．０質量％の活性炭添加ヨウ素溶液を調製し、これらの活性炭添加ヨウ素溶液を１／１０Ｎのチオ硫酸ナトリウム溶液（和光純薬工業（株）製）を用いて滴定して検量線を作成する。次に、評価対象物（シート状の抄造成形体）を１／１０Ｎのヨウ素溶液（和光純薬工業（株）製）に浸漬させて１時間攪拌した溶液（評価対象物浸漬液）を、１／１０Ｎのチオ硫酸ナトリウム溶液（和光純薬工業（株）製）を用いて該評価対象物浸漬液が透明になるまで滴定する。その滴定量を前記検量線から換算して、評価対象物浸漬液中の活性炭量を算出し、該活性炭量を評価対象物の活性炭定着率とする。活性炭定着率の値が大きいほど評価対象物中の活性炭含有率が高くなる。
【００２４】
本発明においては、外側シート４３は、そのＬ*ａ*ｂ*表色系におけるＬ*値が、内側シート４２のＬ*値よりも大きい。Ｌ*ａ*ｂ*表色系におけるＬ*値等は、日本電色工業株式会社製の簡易型分光色差計ＮＦ３３３（商品名）等の色差計を用いて測定できる。ＪＩＳ−Ｚ−８７２９に規定する「Ｌ*ａ*ｂ*表色系」では、Ｌ*は明るさを、ａ*、ｂ*は色の方向を示しており、ａ*は略赤方向、−ａ*は略緑方向、ｂ*は略黄色方向、−ｂ*は略青方向を示している。上記簡易型分光色差計ＮＦ３３３による計測方法においては、ステープラータイプにてφ４ｍｍのＮＤ１１０センサーを取り付けておき、該センサーの先端部にはＯリング（小）を用い、光源Ｃ／２、視野角２°で計測する。尚、外側シート４３のＬ*値が内側シート４２のＬ*値よりも大きいとは、外側シート４３の方が内側シート４２よりも明るいことを意味し、言い換えれば、外側シート４３の方が内側シート４２よりも黒さが薄いことを意味する。
測定方法は、物品を測定する場合は、物品の測定部位に色差計のセンサー部を直接あてて測定する。外側シートや内側シートのみを測定する場合は、白色の厚紙の上に外側シートや内側シートを４枚以上重ねて載せた後、色差計のセンサー部を直接あてて測定する。
【００２５】
具体的には、外側シート４３のＬ*値は、７０以上であることが好ましく、７２以上であることが更に好ましい。そして、８０以下であることが好ましく、７８以下であることが更に好ましい。具体的には、尿を吸収後の尿の目立ちにくさの観点から、７０以上８０以下であることが好ましく、７２以上７８以下であることが更に好ましい。内側シート４２のＬ*値は、６０以上であることが好ましく、６５以上であることが更に好ましい。そして、７５以下であることが好ましく、７０以下であることが更に好ましい。具体的には、尿を吸収する前のナプキン１の外観と尿を吸収後の尿の目立ちにくさの観点から、６０以上７５以下であることが好ましく、６５以上７０以下であることが更に好ましい。また、外側シート４３のＬ*値は、内側シート４２のＬ*値に比べて、５以上大きいことが好ましく、７以上大きいことが更に好ましい。
【００２６】
また、ナプキン１においては、排泄前の状態においてナプキン１を表面シート２側から平面視すると、ナプキン１の前方領域Ｂ及び後方領域ＣそれぞれのＬ*ａ*ｂ*表色系におけるＬ*値が、ナプキン１の排泄部領域ＡのＬ*値よりも大きい。上述したように、ナプキン１においては、内側シート４２は排泄部領域Ａに配されており、外側シート４３は内側シート４２の縦方向（Ｙ方向）の両端部それぞれから前方領域Ｂ及び後方領域Ｃに延出し、前方領域Ｂから後方領域Ｃに亘って延在している。そして、吸収性コア４１も前方領域Ｂから後方領域Ｃに亘って延在しており、前方領域Ｂ、排泄部領域Ａ及び後方領域Ｃで同じものである。従って、ナプキン１を表面シート２側から平面視した際の前方領域Ｂ及び後方領域ＣそれぞれのＬ*値とは、表面シート２を通して視た、吸収性コア４１上の外側シート４３のＬ*値を意味しており、前方領域ＢのＬ*値と後方領域ＣのＬ*値とは同じ値である。そして、ナプキン１を表面シート２側から平面視した際の排泄部領域ＡのＬ*値とは、表面シート２を通して視た、吸収性コア４１上の内面シート４２と外側シート４３との重なり部分のＬ*値を意味する。
【００２７】
具体的には、排泄前の状態において、ナプキン１の前方領域Ｂ及び後方領域ＣそれぞれのＬ*値は、８５以上であることが好ましく、８８以上であることが更に好ましい。そして、９５以下であることが好ましく、９２以下であることが更に好ましい。具体的には、８５以上９５以下であることが好ましく、８８以上９２以下であることが更に好ましい。ナプキン１の排泄部領域ＡのＬ*値は、８３以上であることが好ましく、８６以上であることが更に好ましい。そして、９３以下であることが好ましく、９０以下であることが更に好ましい。具体的には、８３以上９３以下であることが好ましく、８６以上９０以下であることが更に好ましい。また、ナプキン１の前方領域Ｂ及び後方領域ＣそれぞれのＬ*値は、ナプキン１の排泄部領域ＡのＬ*値に比べて、大きく、ナプキン１の見た目の消臭効果感の観点から、１以上大きいことが好ましく、１．５以上大きいことが更に好ましい。また、逆に見た目の黒さが際立たない観点から、４以下が好ましく、３．５以下が更に好ましい。
【００２８】
また、後に記述する尿の色の目立ち難さの評価において、人工尿吸収後のナプキン１を表面シート２側から平面視すると、ナプキン１の排泄部領域ＡのＬ*ａ*ｂ*表色系におけるＬ*値を、人工尿吸収前のナプキン１の排泄部領域ＡのＬ*値から差し引いた値が小さい。ここで、「人工尿吸収前」とは、前述の「排泄前」の状態と同義である。同様に、ナプキン１の前方領域Ｂ及び後方領域ＣのＬ*値も人工尿吸収後を人工尿吸収前から差し引いた値が小さい。尿により濡れた後でも黒さが目立たず、清潔感を保つ観点から、排泄部領域Ａにおける前記Ｌ*値の差し引いた値は、７以下であることが好ましく、５以下であることが更に好ましい。また、同様の観点から、前方領域Ｂ及び後方領域Ｃにおける前記Ｌ*値の差し引いた値は、１０以下であることが好ましく、８以下であることが更に好ましい。すなわち、排泄部領域Ａ、並びに前方領域Ｂ及び後方領域Ｃのそれぞれにおいて、人工尿吸収後のＬ*値を人工尿吸収前から差し引いた値が小さい。さらに、下記で算出されるΔＬ*に関しても、人工尿吸
収前を人工尿吸収後から差し引いた値が小さい。ΔＬ*値の人工尿吸収後を人工尿吸
収前から差し引いた値も上記と同様の観点から、４以下であることが好ましく、２以下であることが更に好ましい。
＜ΔＬ*の算出方法＞
排泄部領域Ａと、前方領域Ｂ及び後方領域Ｃとの、Ｌ*値の差をΔＬ*として算出
する。
ΔＬ*＝（前方領域Ｂ及び後方領域ＣのＬ*値の平均値）−排泄部領域ＡのＬ
*値
【００２９】
また、ナプキン１においては、外側シート４３は、その液保持量が、内側シート４２の液保持量よりも小さい。具体的には、外側シート４３の液保持量は、０．０４ｇ／ｍ2以上であることが好ましく、０．１０ｇ／ｍ2以上であることが更に好ましい。そして、１．００ｇ／ｍ2以下であることが好ましく、０．８０ｇ／ｍ2以下であることが更に好ましい。具体的には、吸収体への通液性向上の観点から、０．０４ｇ／ｍ2以上１．００ｇ／ｍ2以下であることが好ましく、０．１０ｇ／ｍ2以上０．８０ｇ／ｍ2以下であることが更に好ましい。内側シート４２の液保持量は、１０ｇ／ｍ2以上であることが好ましく、２０ｇ／ｍ2以上であることが更に好ましい。そして、１００ｇ／ｍ2以下であることが好ましく、８０ｇ／ｍ2以下であることが更に好ましい。具体的には、吸収体への通液性向上の観点から、１０ｇ／ｍ2以上１００ｇ／ｍ2以下であることが好ましく、２０ｇ／ｍ2以上８０ｇ／ｍ2以下であることが更に好ましい。また、外側シート４３の液保持量は、内側シート４２の液保持量に比べて、２０ｇ／ｍ2以上小さいことが好ましく、４０ｇ／ｍ2以上小さいことが更に好ましい。液保持量は、以下の測定方法によって評価することができる。下記測定は２３±２℃、相対湿度５０±５％で行い、測定の前に試料を同環境で２４時間以上保存した上で測定する。
【００３０】
＜液保持量の測定方法＞
外側シート４３及び内側シート４２の内の外側シート４３を例に挙げて説明すると、外側シート４３を５ｃｍ×５ｃｍ四方にカットする。この初期のカットサンプルの質量を量り、該カットサンプルを、蒸留水５００ｍＬの入ったビーカーの中に入れ、１分間放置する。その後、カットサンプルを取り出し、該カットサンプルを、竿に吊した状態で１０分間放置する。その後、カットサンプルを１０分間、遠心脱水（８００ｒｐｍ）した後に、その質量を測定し、以下に示す式から液保持量を求める。尚、内側シート４２についても同様である。
液保持量（ｇ／ｍ2）＝｛遠心脱水後のカットサンプルの質量（ｇ）−初期のカットサンプルの質量（ｇ）｝／初期のカットサンプルの面積（ｍ2）
測定は５回行い（ｎ＝５）、上下各１点の値を削除し、残る３点の平均値を測定値とする。
製品から外側シートや内側シートを取り出して測定する場合は、外側シートや内側シートは表面シートや吸収コアとホットメルトにより固定されているため、有機溶剤を用いてホットメルトを溶解し、製品から外側シートや内側シートを取り出す。取り出した外側シートや内側シートに付着する不織布繊維やパルプを取り除いた後、乾燥させて有機溶剤を除去した後測定を行う。
【００３１】
本実施形態のナプキン１の形成材料について説明する。
表面シート２としては、通常、軽失禁用の吸水ナプキン等の吸収性物品に用いられるものであれば、特に制限なく用いることができ、例えば、親水性且つ液透過性の不織布等を用いることができる。具体的には、排泄された体液を速やかに吸収して吸収体４に伝達する吸収性の観点及び肌触りの良さの観点から、親水性のサーマルボンド不織布、エアースルー不織布、親水性のスパンレース織布等が好ましい。また、表面シート２側からナプキン１を平面視した際に、表面シート２を通して、吸収性コア４１上の外側シート４３又は内側シート４２が見え易い観点から、その坪量が、２０ｇ／ｍ2以上であることが好ましく、４０ｇ／ｍ2以上であることが更に好ましい。そして、６０ｇ／ｍ2以下であることが好ましく、５０ｇ／ｍ2以下であることが更に好ましい。
【００３２】
裏面シート３としては、通常、軽失禁用の吸水ナプキン等の吸収性物品に用いられるものであれば、特に制限なく用いることができる。例えば、裏面シート３としては、透湿性フィルム単独、又は透湿性フィルムと不織布との積層体、撥水性不織布等を用いることができる。
【００３３】
表面シート２、裏面シート３及び吸収体４の固定には、通常、軽失禁用の吸水ナプキン等の吸収性物品に用いられるホットメルト型接着剤やヒートエンボス、超音波エンボス、高周波エンボス等の融着手段が用いられる。
【００３４】
上述した本発明の吸収性物品の実施形態であるナプキン１を使用した際の作用効果について説明する。
ナプキン１は、吸収性コア４１の肌対向面に配された内側シート４２が活性炭粒子を担持して灰色に着色されており、内側シート４２が配された吸収性コア４１の全体を包む外側シート４３が灰色に着色されている。このように、内側シート４２が活性炭粒子を含んでいるため、例えば尿の臭いを抑制する効果がある。そして、内側シート４２の肌対向面側に灰色の外側シート４３が配されているので、尿の色が認識され難い。更に、内側シート４２が配された吸収性コア４１の全体を包む灰色の外側シート４３のＬ*ａ*ｂ*表色系におけるＬ*値が、灰色の内側シート４２のＬ*値よりも大きいので、尿で濡れた後の内側シート４２の黒さも目立ち難くなると共に、尿の色が認識され難くなる。従って、ナプキン１によれば、尿の臭いを抑制できるとともに、尿の色を目立ち難くできる。また、ナプキン１は、外側シート４３が活性炭粒子を担持して灰色に着色されているので、更に尿の臭いを抑制できる。また、無彩色であることにより、尿の色を隠蔽する効果が一層高くされる。
【００３５】
また、ナプキン１は、外側シート４３の液保持量が、内側シート４２の液保持量よりも小さい。排泄された尿は、最終的には大部分が吸収性コア４１で吸収されるが、その前に、外側シート４３、内側シート４２も濡らすことになる。従って、尿の臭いは、吸収性コア４１だけでなく、内側シート４２、外側シート４３からも発生する。吸収性コア４１から発生した尿の臭いは、内側シート４２及び外側シート４３で消臭することができる。また、内側シート４２から発生した臭いは外側シート４３で消臭される。すなわち、ナプキン１の消臭性能を高めるためには、外側シート４３から発生する臭いを極力少なくすることが効果的である。ナプキン１は外側シート４３の液保持量が小さいため、尿の色を更に目立ち難くできる。
【００３６】
また、ナプキン１は、内側シート４２が排泄対向領域Ａにのみ配されているので、ナプキン１が硬くなってしまうことを防止できる。また、ナプキン１を表面シート２側から平面視すると、ナプキン１の前方領域Ｂ及び後方領域ＣそれぞれのＬ*ａ*ｂ*表色系におけるＬ*値が、ナプキン１の排泄部領域ＡのＬ*値よりも大きい。このように、使用前の状態において、活性炭粒子によって灰色に着色された内側シート４２の色が、Ｌ*値よりも大きい（黒さが薄い）外側シート４３によって目立ち難くなると共に、使用後の状態においても、尿の色を更に目立ち難くできる。
【００３７】
また、尿吸収前後のＬ*値の変化が、排泄部領域Ａ、前方領域Ｂ及び後方領域Ｃのどちらも少なく、ΔＬ*に関しても変化が少ないため、尿の色が目立たないのに加え
、濡れた感じや黒さも目立たないため、使用者にとって清潔感を保つことができる。
【００３８】
また、ナプキン１においては、内側シート４２が、活性炭を含有しない２枚のパルプシート４２１，４２２の間に、活性炭粒子を含有する活性炭層４２３を介在させた３層構造の積層シートであり、外側シート４３が、パルプを含有する単層シートである。その為、長さが短い内側シートのカット面から脱落する活性炭が表面から出てくるのを防止するとの効果を奏する。
【００３９】
本発明の吸収性物品は、上述の実施形態のナプキン１に何ら制限されるものではなく、適宜変更可能である。
例えば、上述の実施形態のナプキン１においては、図１に示すように、内側シート４２が、吸収性コア４１の肌対向面における排泄部領域Ａにのみ配されているが、前方領域Ｂから後方領域Ｃに亘って、縦方向（Ｙ方向）に長く延在していてもよい。
【００４０】
また、上述の実施形態のナプキン１においては、図２，図３に示すように、外側シート４３が、内側シート４２が配された吸収性コア４１の全体を包むように配されているが、内側シート４２の肌対向面側に配されていればよい。
また、上述の実施形態のナプキン１においては、図２，図３に示すように、吸収性コア４１の肌対向面上に直接、内側シート４２が配されているが、吸収性コア４１の肌対向面側に内側シート４２が配されていればよく、例えば、吸収性コア４１と内側シート４２との間に別のシートが配されていてもよい。
【００４１】
また、上述の実施形態のナプキン１においては、図１〜図３に示すように、所謂、立体ギャザーが設けられていないが、ナプキン１の本体の縦方向（Ｙ方向）に沿う両側部それぞれに、立体ギャザーを形成するようにしてもよい。具体的には、表面シート２を介して、縦方向（Ｙ方向）に沿う側部全域に亘って立体ギャザー形成用シートを配設固定し、その横方向（Ｘ方向）内方側（中心線ＣＬ側）の端部近傍に、縦方向（Ｙ方向）に伸長状態の弾性部材を配設固定して、装着時に、その弾性部材の収縮力により、前記端部から所定幅の部分が表面シート２から離間する立体ギャザーを形成するようにしてもよい。尚、立体ギャザーを設けた際に、ナプキン１を表面シート２側から平面視する場合、立体ギャザーと重なっていない表面シート２２の部分を平面視する。
【００４２】
本発明の吸収性物品は、軽失禁用の吸水ナプキン以外にも、例えば、パンティライナー、生理用ナプキン、使い捨ておむつ等に好適に用いることができる。
【００４３】
上述した実施形態に関し、さらに以下の吸収性物品を開示する。
＜１＞
液透過性の表面シート、液難透過性の裏面シート、及びそれらのシートの間に配された、縦長の吸収体を具備し、
前記吸収体は、吸水性ポリマーを含有する吸収性コアと、該吸収性コアの肌対向面側に配された内側シートと、該内側シートの肌対向面側に配された外側シートとを有し、
前方領域、排泄部領域、後方領域に区分された吸収性物品であって、
前記内側シートは、活性炭粒子を担持して灰色に着色されており、
前記外側シートは、灰色に着色されており、
前記外側シートは、そのＬ*ａ*ｂ*表色系におけるＬ*値が、前記内側シートのＬ*値よりも大きい吸収性物品。
【００４４】
＜２＞
前記外側シートは、その液保持量が、前記内側シートの液保持量よりも小さい前記＜１＞に記載の吸収性物品。
＜３＞
前記内側シートは、前記吸収性コアの肌対向面における排泄部領域に配され、
前記外側シートは、前記内側シートが配された前記吸収性コアの全体を包んでおり、
排泄前の状態において前記吸収性物品を前記表面シート側から平面視すると、前記吸収性物品の前方領域及び後方領域それぞれのＬ*ａ*ｂ*表色系におけるＬ*値が、前記吸収性物品の排泄部領域のＬ*値よりも大きい前記＜１＞又は＜２＞に記載の吸収性物品。
＜４＞
前記外側シートは、無彩色である前記＜１＞〜＜３＞の何れか１に記載の吸収性物品。
＜５＞
前記外側シートは、活性炭粒子を担持して灰色に着色されている前記＜１＞〜＜４＞の何れか１に記載の吸収性物品。
＜６＞
前記外側シートは、その液保持量が０．０４ｇ／ｍ2以上１．００ｇ／ｍ2以下であり、そのＬ*ａ*ｂ*表色系におけるＬ*値が７０以上８０以下である前記＜１＞〜＜５＞の何れか１に記載の吸収性物品。
＜７＞
前記外側シート及び前記内側シートそれぞれを構成する基材シートは、パルプを含有している前記＜１＞〜＜６＞の何れか１に記載の吸収性物品。
＜８＞
前記外側シートは、単層で形成されている前記＜１＞〜＜７＞の何れか１に記載の吸収性物品。
＜９＞
前記内側シートは、２層のパルプ層間に、活性炭粒子を含有する活性炭層を介在させた３層構造の積層シートである前記＜１＞〜＜８＞の何れか１に記載の吸収性物品。
＜１０＞
前記吸収性コアは、パルプ繊維の集合体又は不織布に吸水性ポリマーの粒子を保持させて形成されている前記＜１＞〜＜９＞の何れか１に記載の吸収性物品。
【００４５】
＜１１＞
前記外側シートのＬ*値は、７０以上、好ましくは７２以上である前記＜６＞〜＜１０＞の何れか１に記載の吸収性物品。
＜１２＞
前記外側シートのＬ*値は、８０以下、好ましくは７８以下である前記＜６＞〜＜１１＞の何れか１に記載の吸収性物品。
＜１３＞
前記内側シートのＬ*値は、６０以上、好ましくは６５以上である前記＜１＞〜＜１２＞の何れか１に記載の吸収性物品。
＜１４＞
前記内側シートのＬ*値は、７５以下、好ましくは７０以下である前記＜１＞〜＜１３＞の何れか１に記載の吸収性物品。
＜１５＞
前記外側シートのＬ*値は、内側シートのＬ*値に比べて、５以上大きく、好ましくは７以上大きい前記＜１＞〜＜１４＞の何れか１に記載の吸収性物品。
＜１６＞
前方領域及び後方領域それぞれのＬ*値は、８５以上、好ましくは８８以上である前記＜３＞〜＜１５＞の何れか１に記載の吸収性物品。
＜１７＞
前方領域及び後方領域それぞれのＬ*値は、９５以下、好ましくは９２以下である前記＜３＞〜＜１６＞の何れか１に記載の吸収性物品。
＜１８＞
排泄部領域のＬ*値は、８３以上、好ましくは８６以上である前記＜３＞〜＜１７＞の何れか１に記載の吸収性物品。
＜１９＞
排泄部領域のＬ*値は、９３以下、好ましくは９０以下である前記＜３＞〜＜１８＞の何れか１に記載の吸収性物品。
【００４６】
＜２０＞
前方領域及び後方領域それぞれのＬ*値は、排泄部領域のＬ*値に比べて、１以上大きく、好ましくは１．５以上大きい前記＜３＞〜＜１９＞の何れか１に記載の吸収性物品。
＜２１＞
前方領域及び後方領域それぞれのＬ*値は、排泄部領域のＬ*値に比べて、４以下であり、好ましくは３．５以下である前記＜３＞〜＜２０＞の何れか１に記載の吸収性物品。
＜２２＞
排泄部領域において、人工尿吸収後のＬ*値を人工尿吸収前のＬ*値から差し引いた値は、７以下であり、好ましくは５以下である前記＜３＞〜＜２１＞の何れか１に記載の吸収性物品。
＜２３＞
前方領域及び後方領域において、人工尿吸収後のＬ*値を人工尿吸収前のＬ*値から差し引いた値は、１０以下であり、好ましくは８以下である前記＜３＞〜＜２２＞の何れか１に記載の吸収性物品。
＜２４＞
下記の式からで算出されるΔＬ*の、人工尿吸収後のΔＬ*値を人工尿吸収前のΔ
Ｌ*値から差し引いた値は、４以下、好ましくは２以下である前記＜１＞〜＜２３＞の何れか１に記載の吸収性物品。
ΔＬ*＝排泄部領域ＡのＬ*値−（前方領域Ｂ及び後方領域ＣのＬ*値の平均
値）
＜２５＞
前記外側シートの液保持量は、０．０４ｇ／ｍ2以上、好ましくは０．１０ｇ／ｍ2以上である前記＜２＞〜＜２４＞の何れか１に記載の吸収性物品。
＜２６＞
前記外側シートの液保持量は、１．００ｇ／ｍ2以下、好ましくは０．８０ｇ／ｍ2以下である前記＜６＞〜＜２５＞の何れか１に記載の吸収性物品。
＜２７＞
前記内側シートの液保持量は、１０ｇ／ｍ2以上、好ましくは２０ｇ／ｍ2以上である前記＜１＞〜＜２６＞の何れか１に記載の吸収性物品。
＜２８＞
前記内側シートの液保持量は、１００ｇ／ｍ2以下、好ましくは８０ｇ／ｍ2以下である前記＜１＞〜＜２７＞の何れか１に記載の吸収性物品。
＜２９＞
前記外側シートの液保持量は、内側シートの液保持量に比べて、２０ｇ／ｍ2以上小さく、好ましくは４０ｇ／ｍ2以上小さい前記＜２＞〜＜２８＞の何れか１に記載の吸収性物品。
【００４７】
＜３０＞
前記表面シートの坪量が、２０ｇ／ｍ2以上、好ましくは４０ｇ／ｍ2以上である前記＜１＞〜＜２９＞の何れか１に記載の吸収性物品。
＜３１＞
前記表面シートの坪量が、６０ｇ／ｍ2以下、好ましくは５０ｇ／ｍ2以下である前記＜１＞〜＜３０＞の何れか１に記載の吸収性物品。
＜３２＞
前記外側シートの担持する前記活性炭粒子は、その粒径が、前記内側シートの担持する前記活性炭粒子の粒径よりも小さい前記＜５＞〜＜３１＞の何れか１に記載の吸収性物品。
＜３３＞
前記外側シートの担持する前記活性炭粒子は、その粒径が２０μｍ以下、好ましくは１５μｍ以下である前記＜５＞〜＜３２＞の何れか１に記載の吸収性物品。
＜３４＞
前記内側シートの担持する前記活性炭粒子は、その粒径が、３０μｍ以上、好ましくは４０μｍ以上である前記＜１＞〜＜３３＞の何れか１に記載の吸収性物品。
＜３５＞
前記内側シートの担持する前記活性炭粒子は、その粒径が、２００μｍ以下、好ましくは１００μｍ以下である前記＜１＞〜＜３４＞の何れか１に記載の吸収性物品。
＜３６＞
前記外側シートの担持する前記活性炭粒子の粒径は、前記内側シートの担持する前記活性炭粒子の粒径に比べて、２０μｍ以上小さく、好ましくは２５μｍ以上小さい前記＜５＞〜＜３５＞の何れか１に記載の吸収性物品。
＜３７＞
前記吸収性物品が軽失禁用の吸水ナプキンである前記＜１＞〜＜３６＞の何れか１に記載の吸収性物品。
＜３８＞
前記吸収性物品がウイング部を有している前記＜３７＞に記載の吸収性物品。
＜３９＞
前記ウイング部の非肌対向面側にはショーツの固定する為のズレ止め材が塗布されている前記＜３８＞に記載の吸収性物品。
＜４０＞
前記吸収性物品は裏面シートを具備し、該裏面シートの非肌対向面に、ズレ止め材が塗布されている前記＜３７＞〜＜３９＞の何れか１に記載の吸収性物品。
【実施例】
【００４８】
以下、本発明を実施例により更に具体的に説明するが、本発明は斯かる実施例に限定されるものではない。
【００４９】
〔実施例１〕
図１〜図３に示す軽失禁用の吸水ナプキンを作製した。先ず、吸収体について詳述すると、吸収体を構成する吸収性コアは、長さ１９０ｍｍ、幅７５ｍｍの矩形状であり、吸水性ポリマー（日本触媒製：品番ＣＡＷ１５１）を坪量１５０ｇ／ｍ2、パルプ坪量１５０ｇ／ｍ2となるようにポリマー及びパルプを分散させて作製した。また、内側シートとしては、２枚のパルプシートの間に活性炭粒子層を介在させた３層構造のシートを用意した。外側シートとしては、パルプシートに活性炭粒子を担持させた単層シートを用意した。このように、内側シート及び外側シートは、活性炭粒子により灰色に着色されている。外側シート４３のＬ*ａ*ｂ*表色系におけるＬ*値は７６であり、内側シート４２のＬ*値は６７であった。Ｌ*ａ*ｂ*表色系におけるＬ*値は、上述した方法によって測定した。そして、図１〜図３に示すように、吸収性コアの上面（肌対向面）の排泄対向領域Ａにのみ内側シートを配し、内側シートを配した吸収性コアの全体を外側シートで包んで吸収体を作製した。
【００５０】
次に、表面シート及び裏面シートについて詳述すると、表面シートとしては、坪量５０ｇ／ｍ2の液透過性のエアースルー不織布を用意した。また、裏面シートとしては、透湿性フィルムを用意した。そして、図１〜図３に示すように、表面シートと裏面シートとの間に吸収体を配して吸水ナプキンを作製した。
【００５１】
［比較例１］
比較例１では、外側シートとして、該外側シートを構成するパルプを含有する基材シートの構成繊維を黄緑色に染色したシート用意する以外は、実施例１と同様にして、比較例１の吸水ナプキンを作製した。尚、外側シート４３のＬ*ａ*ｂ*表色系におけるＬ*値は９１であり、内側シート４２のＬ*値は、実施例１で用意したものと同様に、６７であった。
【００５２】
［比較例２］
比較例２では、外側シートとして、活性炭粒子を担持せず、該外側シートを構成するパルプを含有する基材シートの構成繊維を染色していない白色のシート用意する以外は、実施例１と同様にして、比較例２の吸水ナプキンを作製した。尚、外側シート４３のＬ*ａ*ｂ*表色系におけるＬ*値は９５であり、内側シート４２のＬ*値は、実施例１で用意したものと同様に、６７であった。
【００５３】
〔評価〕
作製した各吸水ナプキンについて、以下の方法により、尿の色の目立ち難さをそれぞれ評価した。これらの結果を下記表１に示す。
【００５４】
＜尿の色の目立ち難さの評価＞
人工尿吸収前の各吸水ナプキンについて、表面シート側から平面視した際の、吸水ナプキンの排泄部領域ＡのＬ*ａ*ｂ*表色系におけるＬ*値、及び前方領域Ｂ又は後方領域ＣのＬ*ａ*ｂ*表色系における、関連する値であるＬ*値及びｂ*値を、上述した方法によって測定した。これらの結果を下記表１に示す。ここで、前方領域Ｂ又は後方領域Ｃにおいて、Ｌ*値以外にｂ*値（ｂ*は略黄色方向）を求めるのは、活性炭粒子により灰色に着色された内側シートが配されていない領域（前方領域Ｂ又は後方領域Ｃ）に、黄色の人工尿が拡散してきた場合を想定しているためである。
次に、各吸水ナプキンに、人工尿３０ｇを注入して吸収させ、１０分間静置した。そして、人工尿吸収後の各吸水ナプキンについて、表面シート側から平面視した際の、吸水ナプキンの排泄部領域ＡのＬ*ａ*ｂ*表色系におけるＬ*値、及び前方領域Ｂ又は後方領域ＣのＬ*ａ*ｂ*表色系におけるＬ*値及びｂ*値を、上述した方法によって測定した。これらの結果を下記表１に示す。
そして、人工尿吸収前と人工尿吸収後との差、具体的には、排泄部領域Ａにおいては、人工尿吸収前のＬ*値から人工尿吸収後のＬ*値を差し引き、前方領域Ｂ又は後方領域Ｃにおいては、人工尿吸収前のＬ*値及びｂ*値それぞれから人工尿吸収後のＬ*値及びｂ*値をそれぞれ差し引いて、尿の色の目立ち難さを測定した。即ち、差し引いて得られた値が小さいほど、尿の色が目立ち難いことを示す。これらの結果を下記表１に示す。
【００５５】
尚、人工尿の組成は、黄色４号０．００５質量％、黄色５号０．００１２５質量％、食塩０．９質量％及びイオン交換水（残量）であった。
【００５６】
【表１】
2014068681.tif 000003
【００５７】
表１の結果から明らかなように、実施例１の吸水ナプキンは、比較例１〜２の吸水ナプキンに比べて、排泄部領域Ａにおいて、差し引いて得られたＬ*値が小さく、排尿後の尿の色が目立ち難いことが分かった。また、前方領域Ｂ又は後方領域Ｃにおいても、差し引いて得られたＬ*値が小さく、しかも差し引いて得られたｂ*値も変化が少ないので、実施例１の吸水ナプキンは、比較例１〜２の吸水ナプキンに比べて、排尿後の尿の色が目立ち難いことが分かった。従って、実施例１の吸水ナプキンは、尿の色が認識され難く、実際に発生している尿の臭い以上に尿が臭っていると感じさせてしまうようなことも起こり難く、使用感の向上が期待できる。
【符号の説明】
【００５８】
１  軽失禁用の吸水ナプキン（吸収性物品）
２  表面シート
３  裏面シート
４  吸収体
４１  吸収性コア４１
４１０  吸水性ポリマー
４２  内側シート
４３  外側シート
５  シール部
Ａ  排泄部領域
Ｂ  前方領域
Ｃ  後方領域
ＣＬ  縦方向に延びる中心線
【図１】
2014068681.tif 000004
【図２】
2014068681.tif 000005
【図３】
2014068681.tif 000006